(57)【要約】【課題】利便性を向上した電子機器を提供する。【解決手段】実施形態の電子機器は、少なくとも１個の開口部が設けられた筐体と、前記筐体の内部に収納されるコネクタと、前記筐体の内部に収納されるとともに、一方の端部で前記コネクタに接続されるユニットと、前記筐体と一体に設けられ前記開口部内に突出するとともに、前記ユニットの他方の端部を支持する可撓性の支持部と、を備える。【選択図】図２
2014085936.tif 000002
【特許請求の範囲】
【請求項１】
少なくとも１個の開口部が設けられた筐体と、
前記筐体の内部に収納されるコネクタと、
前記筐体の内部に収納されるとともに、一方の端部で前記コネクタに接続されるユニットと、
前記筐体と一体に設けられ前記開口部内に突出するとともに、前記ユニットの他方の端部を支持する可撓性の支持部と、
を備える電子機器。
【請求項２】
前記支持部に設けられ、前記筐体の内側に位置されるとともに前記ユニットの他方の端部を支持した先端部と、
前記支持部の途中に設けられるとともに前記先端部と連続した段部と、
を備える請求項１に記載の電子機器。
【請求項３】
前記支持部は、前記一方の端部と前記他方の端部とを結ぶ方向に沿って延びる請求項２に記載の電子機器。
【請求項４】
前記筐体の内部に収納される第２コネクタと、
一方の端部で前記第２コネクタに接続される第２ユニットと、
前記開口部内に突出するとともに、前記第２ユニットの他方の端部を支持する可撓性の第２支持部と、
を備える請求項３に記載の電子機器。
【請求項５】
前記第２支持部は、前記支持部の前記先端部の近傍に位置する第２先端部を有する請求項４に記載の電子機器。
【請求項６】
少なくとも１個の開口部が設けられた筐体と、
前記筐体の内部に収納されるコネクタと、
前記筐体の内部に収納されるとともに、一方の端部で前記コネクタに接続されるユニットと、
前記筐体と一体に設けられ前記開口部内に突出するとともに、前記ユニットの他方の端部を支持する可撓性の複数の支持部と、
を備える電子機器。
【発明の詳細な説明】
【技術分野】
【０００１】
本発明の実施形態は、部品を内蔵した電子機器に関する。
【背景技術】
【０００２】
例えば、ノートブック型のパーソナルコンピュータが広く普及している。このようなノートブック型のパーソナルコンピュータは、利便性を考慮して、より軽量なもの、或いはより薄いものが好まれる傾向がある。
【先行技術文献】
【特許文献】
【０００３】
【特許文献１】特開２０１１−８２２１９号公報
【発明の概要】
【発明が解決しようとする課題】
【０００４】
本発明が解決しようとする課題は、利便性を向上した電子機器を提供することである。
【課題を解決するための手段】
【０００５】
実施形態の電子機器は、少なくとも１個の開口部が設けられた筐体と、前記筐体の内部に収納されるコネクタと、前記筐体の内部に収納されるとともに、一方の端部で前記コネクタに接続されるユニットと、前記筐体と一体に設けられ前記開口部内に突出するとともに、前記ユニットの他方の端部を支持する可撓性の支持部と、を備える。
【図面の簡単な説明】
【０００６】
【図１】第１の実施形態の電子機器の一例であるポータブルコンピュータを示した斜視図。
【図２】図１に示す電子機器の本体キャビネットの取付部の内面およびフルサイズのＰＣＩ  Ｅｘｐｒｅｓｓカード、ハーフサイズのＰＣＩ  Ｅｘｐｒｅｓｓカード、およびＳＳＤ（solid state drive）カードを示した平面図。
【図３】図１に示す電子機器の本体キャビネットの取付部を内面側から示した平面図。
【図４】図１に示す電子機器の本体キャビネットの取付部およびフルサイズのＰＣＩ  Ｅｘｐｒｅｓｓカード、ハーフサイズのＰＣＩ  Ｅｘｐｒｅｓｓカード、およびＳＳＤ（solid state drive）カードを内面側から示した斜視図。
【図５】図２に示す電子機器のＦ５−Ｆ５線に沿った断面図。
【図６】第２の実施形態の電子機器の一例であるポータブルコンピュータの支持部を示した平面図。
【図７】第２の実施形態の変形例である電子機器の支持部を示した平面図。
【図８】第３の実施形態の電子機器の一例であるポータブルコンピュータの支持部を示した平面図。
【図９】第４の実施形態の電子機器の一例であるポータブルコンピュータの支持部を示した平面図。
【発明を実施するための形態】
【０００７】
以下に、図１から図５を参照して、電子機器の第１の実施形態について説明する。図１に示すように、本明細書において、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１に示すように、電子機器の一例であるポータブルコンピュータ１１は、本体部１２と、表示部１３と、本体部１２と表示部１３との間に介在されるとともに、全体として細長い棒状をなしたヒンジ部１４と、を備えている。ヒンジ部１４は、本体部１２に対して表示部１３を回転可能に支持している。ヒンジ部１４は、表示部１３の表示パネル１５がキーボード２５に対向するように表示部１３が本体部１２に重なった閉状態と、表示部１３が本体部１２に対して起立した開状態との間で、表示部１３を回転させることができる。
【０００９】
表示部１３の背面で、左右方向における両端部には、表示画面１５Ａの縦方向（上下方向）に沿うように一対のレール部分１６が設けられている。上記ヒンジ部１４は、これらのレール部分１６に沿って表示画面１５Ａの縦方向に沿うようにスライド移動可能である。このヒンジ部１４がレール部分１６に沿ってスライド移動することによって、表示部１３の背面がキーボード２５に対向するように（表示パネル１５を外側に向けて）、表示部１３が本体部１２に重なることができる。
【００１０】
表示部１３は、表示パネル１５と、表示パネル１５の周囲を取り囲む合成樹脂製の表示キャビネット１７と、を有している。表示パネル１５の一例として、本実施形態では、液晶ディスプレイが用いられている。表示パネル１５は、液晶ディスプレイパネルに限定されるものではなく、例えば、例えばプラズマディスプレイパネル、有機ＥＬ、プラスチックディスプレイパネル、シートディスプレイパネル等、他の種類のディスプレイパネルであってもよい。表示キャビネット１７は、本体キャビネット２１と同様に金属材料で形成されていてもよい。
【００１１】
図１から図４に示すように、本体部１２は、例えば、金属材料によって箱状に形成される本体キャビネット２１と、本体キャビネット２１の上面に設けられる取付部２２と、取付部２２に設けられた複数の開口部２３と、開口部２３内に腕状に突出した複数の支持部２４と、取付部２２に外側から取り付けられたキーボード２５と、本体キャビネット２１の上面でキーボード２５よりも前側に設けられるタッチパッド２６と、を備えている。筐体は、表示キャビネット１７と本体キャビネット２１とで構成されている。キーボード２５は、開口部２３および支持部２４を外側から覆う構造物の一例である。
【００１２】
本体キャビネット２１（筐体）は、例えばマグネシウム合金等の金属材料によって形成されているが、本体キャビネット２１（筐体）の材質はこれに限定されない。本体キャビネット２１（筐体）の材質は、例えば合成樹脂でもよいし、アルミニウム合金等の他の金属材料でもよい。
【００１３】
図２、図４に示すように、本体部１２は、さらに、第１プリント回路板３１（主基板）と、第２プリント回路板３２（副基板）と、フルサイズのＰＣＩ  Ｅｘｐｒｅｓｓカード３３と、ハーフサイズのＰＣＩ  Ｅｘｐｒｅｓｓカード３４と、ＳＳＤ（solid state drive）カード３５と、を本体キャビネット２１の内部に備えている。
【００１４】
図２に示すように、第１プリント回路板３１は、第１基板４１と、第１基板４１上に実装されたＣＰＵ等の複数の回路部品と、第１基板４１上に実装された第１コネクタ４２および第２コネクタ４３と、を有している。第２プリント回路板３２は、第２基板４４と、第２基板４４上に実装された第３コネクタ４５（第２コネクタ）を有している。
【００１５】
フルサイズのＰＣＩ  Ｅｘｐｒｅｓｓカード３３は、例えばビデオカードやグラフィックスカードで構成されている。ハーフサイズのＰＣＩ  Ｅｘｐｒｅｓｓカード３４も同様に、例えばビデオカードやグラフィックスカードで構成されている。これらフルサイズのＰＣＩ  Ｅｘｐｒｅｓｓカード３３、ハーフサイズのＰＣＩ  Ｅｘｐｒｅｓｓカード３４、およびＳＳＤカード３５は、一方の端部３３Ａ、３４Ａ、３５Ａで第１コネクタ４２から第３コネクタ４５（コネクタ）に接続され、他方の端部３３Ｂ、３４Ｂ、３５Ｂが支持部２４に支持されるユニットおよび第２ユニットの一例である。
【００１６】
キーボード２５は、取付部２２に取り付けられて開口部２３および支持部２４を外側から覆っている。
【００１７】
図３、図４に示すように、各支持部２４は、本体キャビネット２１と一体に設けられている。上述したように、各支持部２４は、上記のフルサイズのＰＣＩ  Ｅｘｐｒｅｓｓカード３３、ハーフサイズのＰＣＩ  Ｅｘｐｒｅｓｓカード３４、およびＳＳＤカード３５等のユニットの他方の端部３３Ｂ、３４Ｂ、３５Ｂを片持ちで支持することができる。
【００１８】
フルサイズのＰＣＩ  Ｅｘｐｒｅｓｓカード３３およびハーフサイズのＰＣＩ  Ｅｘｐｒｅｓｓカード３４に対応する位置の取付部２２では、１つの開口部２３内に、例えば２個の支持部２４（支持部、第２支持部）が突出するように支持部２４が設けられている。この位置では、支持部２４の先端部５１同士が対向している。また、ＳＳＤカード３５に対応する位置の取付部２２では、１つの開口部２３内に、例えば１個の支持部２４が突出するように支持部２４が設けられる。
【００１９】
上記ユニットの他方の端部３３Ｂ、３４Ｂ、３５Ｂのそれぞれは、一対の支持部２４によって弾力的に支持されている。フルサイズのＰＣＩ  Ｅｘｐｒｅｓｓカード３３に対応する支持部２４は、上記ユニットの一方の端部３３Ａと他方の端部３３Ｂとを結ぶ方向に沿って延びている。ハーフサイズのＰＣＩ  Ｅｘｐｒｅｓｓカード３４に対応する支持部２４は、上記ユニットの一方の端部３４Ａと他方の端部３４Ｂとを結ぶ方向に沿って延びている。ＳＳＤカード３５に対応する支持部２４は、上記ユニットの一方の端部３５Ａと他方の端部３５Ｂとを結ぶ方向に沿って延びている。
【００２０】
フルサイズのＰＣＩ  Ｅｘｐｒｅｓｓカード３３およびハーフサイズのＰＣＩ  Ｅｘｐｒｅｓｓカード３４に対応する位置では、１個のユニットに対応する支持部２４同士は、同じ方向に延びるように設けられている。また、ＳＳＤカード３５に対応する位置では、支持部２４同士は、例えば逆方向に延びるように設けられている。
【００２１】
図３から図５に示すように、各支持部２４は、本体キャビネット２１の他の部分と同様に板状をなしていて、全体として本体キャビネット２１の厚み方向に可撓性を発揮することができる。各支持部２４は、本体キャビネット２１の他の部分よりも内側に位置された先端部５１（先端部、第２先端部）と、開口部２３を規定した縁部と一体的・連続的に設けられた基端部５２と、先端部５１と基端部５２との間の位置に設けられた段部５３と、先端部５１に設けられたボス５４と、を有している。
【００２２】
本実施形態では、先端部５１は角部部分が除去されており、丸みを帯びている。ボス５４は、先端部５１の中央部に設けられている。このボス５４に対してねじ５５を取り付けることで、支持部２４の先端部５１は上記ユニットの他方の端部３３Ｂ、３４Ｂ、３５Ｂを支持することができる。段部５３は、支持部２４の途中に設けられており、先端部５１および基端部５２と連続している。また、開口部２３および支持部２４は、例えばプレス加工等によって一括して形成される。
【００２３】
本実施形態では、各支持部２４が上記ユニットの一方の端部３３Ａ、３４Ａ、３５Ａと他方の端部３３Ｂ、３４Ｂ、３５Ｂとを結ぶ方向に沿って延びているため、上記ユニットがコネクタを中心に上下に振動する場合でも、振動するユニットに追従するように支持部２４がユニットを支持することができる。これによって、ユニットにねじれ等のストレス（応力）がかかることがなく、ユニットに破損等を生じる可能性が低減される。
【００２４】
第１実施形態によれば、電子機器は、少なくとも１個の開口部２３が設けられた筐体と、前記筐体の内部に収納されるコネクタと、前記筐体の内部に収納されるとともに、一方の端部３３Ａ、３４Ａ、３５Ａで前記コネクタに接続されるユニットと、前記筐体と一体に設けられ開口部２３内に突出するとともに、前記ユニットの他方の端部３３Ｂ、３４Ｂ、３５Ｂを支持する可撓性の支持部２４と、を備える。
【００２５】
この構成によれば、支持部２４を筐体と一体に設けることができ、部品点数を削減してコストダウンできるとともに構造を簡略化できる。また、ユニットは、他方の端部３３Ｂ、３４Ｂ、３５Ｂで支持部２４によって弾力的に支持されるため、ユニットに過度のストレス（応力）がかかることを防止できる。
【００２６】
電子機器は、支持部２４に設けられ、筐体の内側に位置されるとともにユニットの他方の端部３３Ｂ、３４Ｂ、３５Ｂを支持した先端部５１と、支持部２４の途中に設けられるとともに先端部５１と連続した段部５３と、を備える。
【００２７】
この構成によれば、段部５３によって先端部５１を筐体の内部側に配置させることができるため、支持部２４が厚み方向に撓む際のストローク分の空間（特に、支持部２４が筐体の外側に向かって撓む際のストローク分の空間）を確保することができる。これによって、支持部２４の撓み動作が妨げられることがなく円滑になされることになり、ユニット側に加えられるストレスを小さくすることができる。
【００２８】
支持部２４は、一方の端部３３Ａ、３４Ａ、３５Ａと他方の端部３３Ｂ、３４Ｂ、３５Ｂとを結ぶ方向に沿って延びる。この構成によれば、振動や衝撃等が加えられて、コネクタおよび一方の端部３３Ａ、３４Ａ、３５Ａを中心（支点）にユニットが振動する際に、支持部２４がユニットに追従するように円滑に移動することができる。これによって、ユニットに対して加えられる引張方向や圧縮方向のストレスおよびねじり方向のストレスを低減して、支持部２４によってユニットを弾力的に支持することができる。
【００２９】
電子機器は、前記筐体の内部に収納される第２コネクタと、一方の端部３３Ａ、３４Ａ、３５Ａで第２コネクタに接続される第２ユニットと、開口部２３内に突出するとともに、第２ユニットの他方の端部３３Ｂ、３４Ｂ、３５Ｂを支持する第２支持部と、を備える。この構成によれば、１個の開口部２３内に第１支持部および第２支持部が設けられるため、開口部２３の数を少なくして、構造を簡略化することができる。
【００３０】
第２支持部は、支持部２４の先端部５１の近傍に位置する第２先端部を有する。この構成によれば、ユニットの近傍に他のユニットを近接させて配置することができ、筐体内部におけるスペースの使用効率を向上して部品の高集積化を図ることができる。
【００３１】
続いて、図６を参照して、電子機器の第２の実施形態について説明する。第２の実施形態の電子機器の一例であるポータブルコンピュータ１１は、支持部２４の形状が異なる点で第１の実施形態のものと異なっているが、他の部分は第１の実施形態と共通している。このため、主として第１実施形態と異なる部分について説明し、共通する部分については説明を省略する。
【００３２】
第２実施形態では、支持部２４は、略四角形状をなした先端部５１を有している。各支持部２４は、フルサイズのＰＣＩ  Ｅｘｐｒｅｓｓカード３３の他方の端部３３Ｂ、およびハーフサイズのＰＣＩ  Ｅｘｐｒｅｓｓカード３４の他方の端部３４Ｂを片持ちで支持している。フルサイズのＰＣＩ  Ｅｘｐｒｅｓｓカード３３およびハーフサイズのＰＣＩ  Ｅｘｐｒｅｓｓカード３４は、一方の端部３３Ａ、３４Ａでコネクタに接続され、他方の端部３３Ｂ、３４Ｂを支持部２４に支持されるユニットおよび第２ユニットの一例である。
【００３３】
また、図７は、第２実施形態の変形例を示している。本変形例では、先端部５１は円形をなしている。支持部２４は、フルサイズのＰＣＩ  Ｅｘｐｒｅｓｓカード３３の他方の端部３３ＢおよびハーフサイズのＰＣＩ  Ｅｘｐｒｅｓｓカード３４の他方の端部３４Ｂを片持ちで支持している。また、基端部５２は、例えば先端部５１よりも小さい幅で形成されており、支持部２４全体としてより一層可撓性を発揮しやすくなっている。
【００３４】
第２実施形態によれば、支持部２４の先端部５１は、あらゆる形状を採用することができる。第２実施形態の変形例によれば、基端部５２が先端部５１よりも幅狭に形成されているため、支持部２４全体として柔軟性を向上でき、ユニットより一層弾力的に支持することができる。
【００３５】
続いて、図８を参照して、電子機器の第３の実施形態について説明する。第３の実施形態の電子機器の一例であるポータブルコンピュータ１１は、支持部２４のレイアウトにおいて第１の実施形態のものと異なっているが、他の部分は第１の実施形態と共通している。このため、主として第１実施形態と異なる部分について説明し、共通する部分については説明を省略する。
【００３６】
第３実施形態では、開口部２３の１個には、２個の支持部２４が突出するように配置されている。また、この開口部２３以外の２個の開口部２３の内側には、それぞれ１個の支持部２４が突出している。各支持部２４は、本体キャビネット２１と一体に設けられている。各支持部２４は、フルサイズのＰＣＩ  Ｅｘｐｒｅｓｓカード３３の他方の端部３３Ｂ、およびハーフサイズのＰＣＩ  Ｅｘｐｒｅｓｓカード３４の他方の端部３４Ｂを片持ちで支持している。
【００３７】
１個の開口部２３内に２個の支持部２４が設けられる箇所では、一方の支持部２４の延びる方向は、他方の支持部２４が延びる方向と交差する方向（直交する方向）になっている。しかし、各支持部２４が上記ユニットの一方の端部３３Ａ、３４Ａ、３５Ａと他方の端部３３Ｂ、３４Ｂ、３５Ｂとを結ぶ方向に沿って延びている点は第１実施形態と同様である。また、支持部２４自体の形状も第１実施形態と同様である。
【００３８】
第３実施形態によれば、開口部２３内に突出した一方の支持部２４は、同じ開口部２３内に突出した他方の支持部２４と交差する方向に延びている。この構造によっても、ユニットの近傍に他のユニットを近接させて配置することができ、筐体内部におけるスペースの使用効率を向上して部品の高集積化を図ることができる。また、上記構成によれば、振動や衝撃等が加えられて、コネクタおよび一方の端部３３Ａ、３４Ａ、３５Ａを中心（支点）にユニットが振動する際に、支持部２４がユニットに追従するように円滑に移動できる。このため、ユニットに対して加えられるストレス（応力）を低減できる。
【００３９】
続いて、図９を参照して、電子機器の第４の実施形態について説明する。第４の実施形態の電子機器の一例であるポータブルコンピュータ１１は、支持部２４のレイアウトにおいて第１の実施形態のものと異なっているが、他の部分は第１の実施形態と共通している。このため、主として第１実施形態と異なる部分について説明し、共通する部分については説明を省略する。
【００４０】
第４実施形態では、開口部２３の１個には、２個の支持部２４が突出するように配置されている。また、この開口部２３以外の２個の開口部２３の内側には、それぞれ１個の支持部２４が突出している。各支持部２４は、本体キャビネット２１と一体に設けられている。各支持部２４は、フルサイズのＰＣＩ  Ｅｘｐｒｅｓｓカード３３の他方の端部３３ＢおよびハーフサイズのＰＣＩ  Ｅｘｐｒｅｓｓカード３４の他方の端部３４Ｂを片持ちで支持している。
【００４１】
１個の開口部２３内に２個の支持部２４が設けられる箇所では、一方の支持部２４の延びる方向は、他方の支持部２４が延びる方向と逆方向になっている。しかしながら、第１実施形態とは異なり、この開口部２３内に設けられる一方の支持部２４は、この開口部２３内に設けられる他方の支持部２４に対して、位置ずれして（同一直線上から外れて、対向する位置から外れて）設けられている。なお、各支持部２４が上記ユニットの一方の端部３３Ａ、３４Ａ、３５Ａと他方の端部３３Ｂ、３４Ｂ、３５Ｂとを結ぶ方向に沿って延びている点は第１実施形態と同様である。また、支持部２４自体の形状も第１実施形態と同様である。
【００４２】
第４実施形態によれば、開口部２３内に突出した一方の支持部２４は、同じ開口部２３内に突出した他方の支持部２４とは位置ずれして（同一直線上から外れて、対向する位置から外れて）設けられている。この構造によっても、ユニットの近傍に他のユニットを近接させて配置することができ、筐体内部におけるスペースの使用効率を向上して部品の高集積化を図ることができる。また、上記構成によれば、振動や衝撃等が加えられて、コネクタおよび一方の端部３３Ａ、３４Ａ、３５Ａを中心（支点）にユニットが振動（回転）する際に、支持部２４がユニットに追従するように円滑に移動できる。このため、ユニットに対して加えられるストレスを低減できる。
【００４３】
電子機器は、上記実施形態に示したポータブルコンピュータ１１用に限らず、例えば携帯電話機、電子ブックリーダーのようなその他の電子機器に対しても実施可能である。また、上記において支持部２４によって他方の端部３３Ｂ、３４Ｂ、３５Ｂが支持されるユニットおよび第２ユニットの一例として、フルサイズのＰＣＩ  Ｅｘｐｒｅｓｓカード３３、ハーフサイズのＰＣＩ  Ｅｘｐｒｅｓｓカード３４、およびＳＳＤカード３５が挙げられているが、ユニットおよび第２ユニットの例としてはこれに限定されるものではない。当該ユニットとしては、ハードディスクドライブユニット、無線ＬＡＮモジュール、各種のフラッシュメモリカード、光ディスクドライブユニット（ＯＤＤ）等であってもよい。また、上記では、開口部２３および支持部２４を覆う部品の一例として、キーボード２５が示されているが、当該部品としてはこれに限定されない。当該部品としては、開口部２３および支持部２４を覆うように設計された化粧板や、その他の蓋状の部材等を適宜に利用することができる。
【００４４】
さらに、電子機器は、上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４５】
１１…ポータブルコンピュータ、２１…本体キャビネット、２３…開口部、２４…支持部、３３…フルサイズのＰＣＩ  Ｅｘｐｒｅｓｓカード、３４…ハーフサイズのＰＣＩ  Ｅｘｐｒｅｓｓカード、３５…ＳＳＤカード、４２…第１コネクタ、４３…第２コネクタ、４５…第３コネクタ、３３Ａ、３４Ａ、３５Ａ…一方の端部、３３Ｂ、３４Ｂ、３５Ｂ…他方の端部、５１…先端部、５２…基端部、５３…段部
【図１】
2014085936.tif 000003
【図２】
2014085936.tif 000004
【図３】
2014085936.tif 000005
【図４】
2014085936.tif 000006
【図５】
2014085936.tif 000007
【図６】
2014085936.tif 000008
【図７】
2014085936.tif 000009
【図８】
2014085936.tif 000010
【図９】
2014085936.tif 000011